(57)【要約】【課題】  装置の小型化を図る。【解決手段】  ハウジング２の上面３手前側にキーボード４、上面３奥側に表示器５をそれぞれ配置し、ハウジング２に内蔵するプリンタメカユニット１１をキーボード４の直下に配置し、ハウジング２に内蔵する制御ボード１４を表示器５の裏面側に配置し、プリンタメカユニット１１に供給されるロール紙Ｒを着脱自在に収納するロール紙収納部１０を表示器５及び制御ボード１４の直下に配置する。これにより、例えばハウジング２がロール紙収納部１０の配置空間のために後方に延びるようなことがなくなり、装置が小型化する。【選択図】    図２
2005215837.tif 000002
【特許請求の範囲】
【請求項１】
ハウジングと、
前記ハウジングの上面手前側に配置されたキーボードと、
前記ハウジングの上面奥側に配置された表示器と、
前記キーボードの直下に配置されて前記ハウジングに内蔵されたプリンタメカユニットと、
前記表示器の裏面側に配置されて前記ハウジングに内蔵され、マイクロコンピュータを搭載する制御ボードと、
前記表示器及び前記制御ボードの直下に配置されて前記プリンタメカユニットに供給されるロール紙を着脱自在に収納するロール紙収納部と、
前記マイクロコンピュータの処理によって、獲得した決済情報に基づいて決済処理を実行する手段と、
を備える決済端末。
【請求項２】
前記キーボードと前記表示器とに隣接させて前記ハウジングの上面に配置され、磁気カードをスキャン操作するためのカード読取溝と、
前記ハウジングに内蔵され、前記カード読取溝内をスキャン操作された磁気カードの情報を読み取る磁気カードリーダと、
を備え、前記決済処理を実行する手段は、前記磁気カードリーダが読み取った磁気カードの情報を決済情報として獲得する請求項１記載の決済端末。
【請求項３】
前記ハウジングの上面は手前側に向けて傾斜し、当該傾斜の傾斜角度は、前記カード読取溝が配置されている部分よりも前記表示器が配置されている部分の方が大きく設定されている請求項２記載の決済端末。
【請求項４】
前記表示器及び前記制御ボードは、前記ハウジングの奥側に配置された支点を中心として回動自在である請求項１記載の決済端末。
【請求項５】
前記キーボードと前記表示器との間に配置された発行口と、
前記ロール紙収納部に収納されたロール紙から引き出されて前記プリンタメカユニットによって決済情報が印字された決済伝票を前記発行口から発行させる用紙経路と、
を備える請求項４記載の決済端末。
【請求項６】
前記マイクロコンピュータの処理によって、決済操作が終了した後に、前記プリンタメカユニットを駆動制御して決済伝票の発行処理を実行させる手段を備える請求項５記載の決済端末。
【請求項７】
前記制御ボードを前記表示器の裏面側に配置された第１の制御ボードと前記ハウジング内の底部に配置された第２の制御ボードとに分割し、
前記第１の制御ボードには高速のバス処理を実行する第１のユニットを搭載し、
前記第２の制御ボードには低速のバス処理を実行する第２のユニットを搭載した、
請求項１記載の決済端末。
【請求項８】
前記制御ボードに搭載された前記キーボード用のコントローラと、
前記制御ボードに搭載された前記プリンタメカユニット用のコントローラと、
前記制御ボードに搭載された前記表示器用のコントローラと、
を備え、
前記第１のユニットは、前記マイクロコンピュータと、前記表示器用のコントローラとを含み、
前記第２のユニットは、前記キーボード用のコントローラと、前記プリンタメカユニット用のコントローラとを含む、
請求項７記載の決済端末。
【発明の詳細な説明】
【技術分野】
【０００１】
本発明は、獲得した決済情報に基づいて決済処理を実行する決済端末に関する。
【背景技術】
【０００２】
従来、クレジットカードに記録された磁気情報を読み取り、読み取った磁気情報に基づいて決済処理を実行するＣＡＴ（Credit Authorization Terminal）に代表されるような決済端末が広く普及している。このような決済端末では、ＩＣカードやデビットカード等のような決済可能な媒体の多様化に伴い、クレジットカード以外の決済可能な媒体を用いた決済処理も受け付けられるようになってきている。
【０００３】
従来の決済端末は、代表的には、特許文献１に見られるように、ハウジングの上面に位置させて、手前側にキーボード、奥側に表示器が配置され、これらのキーボード及び表示器に隣接させて磁気カードをスキャン操作するためのカード読取溝が配置された構造を有している。そして、ハウジングにはプリンタメカユニットが内蔵され、このプリンタメカユニットによって決済伝票の印字発行が可能となっている。
【０００４】
【特許文献１】特開２００２−１３３３７１公報
【発明の開示】
【発明が解決しようとする課題】
【０００５】
従来の決済端末は、決済伝票用の印字用紙（ロール紙）を収納した構造として構成すると、特許文献１に記載された決済端末のように、ロール紙をハウジングの後方に内蔵することが多い。このため、決済端末の外観レイアウトとしては、手前から奥側に向けて、キーボード、表示器、ロール紙収納部という配列になり易い。ところが、このような外観レイアウトを採用すると、ハウジングがロール紙収納部のために後方に延びてしまい、装置全体が大型化してしまうという問題がある。
【０００６】
本発明の目的は、装置の小型化を図ることである。
【課題を解決するための手段】
【０００７】
本発明の決済端末は、ハウジングの上面手前側にキーボードを配置し、前記ハウジングの上面奥側に表示器を配置し、前記ハウジングに内蔵するプリンタメカユニットを前記キーボードの直下に配置し、マイクロコンピュータを搭載して前記ハウジングに内蔵する制御ボードを前記表示器の裏面側に配置し、前記プリンタメカユニットに供給されるロール紙を着脱自在に収納するロール紙収納部を前記表示器及び前記制御ボードの直下に配置する。これにより、例えばハウジングがロール紙収納部の配置空間ために後方に延びるようなことがなくなり、装置が小型化する。
【発明の効果】
【０００８】
本発明によれば、上述のように構成したので、例えばハウジングがロール紙収納部の配置空間ために後方に延びるようなことをなくすことができ、したがって、装置を小型化することができる。
【発明を実施するための最良の形態】
【０００９】
本発明の一実施の形態を図面に基づいて説明する。本実施の形態の決済端末は、クレジットカード、デビットカードとして使用されるキャッシュカード等の現金の代わりとして機能するカードでの決済に際して使用されるものである。図１は本実施の形態の決済端末を概略的に示す外観斜視図、図２はその縦断側面図、図３は開閉ユニットが開いた状態の決済端末を概略的に示す縦断側面図である。
【００１０】
図１に示すように、本実施の形態の決済端末１のハウジング２の上面３には、決済端末１の手前側（操作者側）から奥側に向って、各種のキーが集合するキーボード４、ＬＣＤ（Liquid Crystal Display）を備えた薄型扁平形状であって取引内容や操作案内等を表示する表示器５が順に設けられている。また、キーボード４と表示器５との間のハウジング２の上面３には、ハウジング２に内蔵されるプリンタ６（図２参照）によって印字される決済伝票を発行する発行口７が形成されている。
【００１１】
ハウジング２の右端部には、磁気カードをスキャン操作するためのスリット状のカード読取溝８をハウジング２の上面３側に備えた磁気カードリーダ部９が設けられている。カード読取溝８は、キーボード４及び表示器５の右側に隣接して配置され、クレジットカードの磁気ストライプ側を挿入させて手前側（操作者側）に引き抜くことができる形状に形成されている。磁気カードリーダ部９には、カード読取溝８内をスキャン操作された磁気カードの磁気ストライプに記憶された情報の読み取りを行なうための磁気カードリーダ９ａ（図４参照）が内蔵されている。磁気カードの磁気ストライプに記憶されるカード情報としては、クレジットカードの場合には、そのカードの固有情報であるクレジットカード番号、キャッシュカードの場合にはそのカードの固有情報である口座番号等がある。
【００１２】
キーボード４と発行口７と表示器５とが配置された部分のハウジング２の上面３ａと、磁気カードリーダ部９の上面３ｂとは、手前側に向けて傾斜している。即ち、これらの上面３ａ，３ｂは、奥側から手前側に向かっての下り斜面である。また、カード読取溝８における磁気カードの引き抜き角度は磁気カードリーダ部９の上面３ｂの傾斜角度と同じに設定されている。キーボード４と発行口７と表示器５とが配置されたハウジング２の上面３ａの傾斜角度は約１８度であり、磁気カードリーダ部９の上面３ｂの傾斜角度は約１４度に設定されている。このように、キーボード４と発行口７と表示器５とが配置されたハウジング２の上面３ａの傾斜角度は、磁気カードリーダ９ａの上面３ｂの傾斜角度よりも大きく設定されている。
【００１３】
図２に示すように、ハウジング２の内部には、ロール紙Ｒを収納する投げ込み式のロール紙収納部１０と、このロール紙収納部１０に収納されたロール紙Ｒを引き出して印字するプリンタメカユニット１１とを有するプリンタ６と、第１の制御ボード１２及び第２の制御ボード１３から構成され決済端末１の各部を制御する制御ボード１４とが設けられている。ここで、ロール紙Ｒは、長尺紙をロール状に巻回したものである。第１の制御ボード１２は、表示器５の裏面側に配置され、第２の制御ボード１３は、ハウジング２の底部に配置されている。また、ロール紙収納部１０は、表示器５及び第１の制御ボード１２の直下に配置され、プリンタメカユニット１１は、ロール紙収納部１０の手前側であってキーボード４の直下に配置されている。
【００１４】
ここで、ハウジング２は、図２及び図３に示すように、キーボード４、プリンタ６、第２の制御ボード１３を支持しているハウジング本体部２ａと、表示器５、第１の制御ボード１２を支持しているハウジング開閉部２ｂとから構成されている。ハウジング開閉部２ｂは、ハウジング本体部２ａの奥側に設けられた支点であるヒンジの軸１５を中心としてハウジング本体部２ａに対して回動自在に設けられている。このハウジング開閉部２ｂは、表示器５及び第１の制御ボード１２とともに開閉ユニット１６を構成している。つまり、開閉ユニット１６は、軸１５を中心としてハウジング本体部２ａに対して回動自在となっている。なお、後述するように、プリンタ６の一部はハウジング開閉部２ｂに取り付けられている。
【００１５】
次に、プリンタ６について説明する。ロール紙収納部１０は、ロール紙Ｒを着脱自在に収納保持する上面開口の半円筒形状に形成されている。本実施の形態のロール紙収納部１０は、ロール紙Ｒをそのロール下側からプリンタ６側に用紙先端部を引き出せることができるような状態で収納するものである。なお、上述した開閉ユニット１６の下面側は、ロール紙収納部１０の上面を覆うように形成されており、つまり、開閉ユニット１６は、ロール紙収納部１０の蓋としても機能するものとなっている。そして、ロール紙収納部１０にロール紙Ｒを収納する際には、軸１５を中心として開閉ユニット１６を奥側に向けて回動させることにより、ロール紙収納部１０が手前側（操作者側）に対して露出する。
【００１６】
プリンタメカユニット１１は、ハウジング本体部２ａ側に配置されたサーマルヘッド１７と、開閉ユニット１６において第１の制御ボード１２の下であってハウジング開閉部２ｂの先端部に取り付けられたプラテン１８とを有している。そして、開閉ユニット１６が閉じられた状態において、プラテン１８がサーマルヘッド１７に圧接する構造である。また、発行口７は、ハウジング本体部２ａとハウジング開閉部２ｂとの間に形成される。加えて、特に図示しないが、プリンタメカユニット１１には、サーマルヘッド１７と発行口７との間でロール紙Ｒを全切断又は部分切断するカッタ機構が備えられている。そして、プリンタ６には、ロール紙収納部１０を始点とし、サーマルヘッド１７、カッタ機構を経由し、発行口７へ到る用紙経路１９が形成されている。
【００１７】
このプリンタ６において、ロール紙Ｒをセットする際には、まず、開閉ユニット１６を開く。これによりロール紙収納部１０と用紙経路１９とが開放される。この状態でロール紙収納部１０にロール紙Ｒを収納する。そして、サーマルヘッド１７とプラテン１８との間を経由させて発行口７までロール紙Ｒの先端を引き出す。次に、開閉ユニット１６を閉じる。これにより決済端末１へのロール紙Ｒのセットが完了する。そして、プラテン１８が図示しない駆動部によって回転駆動されることによって、プラテン１８とサーマルヘッド１７とにより挟持されたロール紙Ｒが用紙経路１９に沿って搬送され、この搬送過程において、サーマルヘッド１７によってロール紙Ｒに対する印字動作が実行され、印字後のロール紙Ｒが所定の位置でカッタ機構によって切断され、切断されたロール紙Ｒが決済伝票として発行口７から発行される。
【００１８】
次に、決済端末１が備える各部の電気的接続について図４を参照して説明する。図４に示すように、決済端末１はマイクロコンピュータ（以下、マイコンともいう）２０を備えており、このマイコン２０が各部を駆動制御する。マイコン２０は、各部を集中的に制御するＣＰＵ（Central Processing Unit）２１にバスライン２２を介して、コンピュータプログラム等の固定的データを予め記憶するＲＯＭ（Read Only Memory）２３と各種データを書き換え自在に記憶するワークエリア等として機能するＲＡＭ（Random Access Memory）２４と、日付や時刻を計時するタイマ２５とが接続されて構成されている。次に、このマイコン２０によって駆動制御される決済端末１の各部を説明する。
【００１９】
キーボード４は、置数キーや実行キーなどのキーを有し、キーボード４用のコントローラ２６を介してバスライン２２に接続され、操作されたキーに応じた信号をコントローラ２６の動作によってマイコン２０に入力する。
【００２０】
表示器５は、表示器５用のコントローラ２７を介してバスライン２２に接続され、マイコン２０からの表示データがコントローラ２７に入力されると、コントローラ２７に駆動されて所定事項を表示する。
【００２１】
磁気カードリーダ９ａは、磁気カードリーダ９ａ用のコントローラ２８を介してバスライン２２に接続され、磁気カードの磁気ストライプに記憶された情報を読み取り、読み取った情報をコントローラ２８の動作によってマイコン２０に入力する。
【００２２】
プリンタメカユニット１１は、プリンタメカユニット１１用のコントローラ２９を介してバスライン２２に接続され、マイコン２０からの印字データがコントローラ２９に入力されると、コントローラ２９に駆動されてロール紙Ｒに所定事項を印字し、そのロール紙Ｒを所定位置で切断して発行する。
【００２３】
また、マイコン２０には、電波の送受信を行うためのアンテナを有し外部機器との情報通信を無線で行う無線通信モジュール３０と、外部機器にケーブルを介して接続され外部機器との情報通信を有線で行うための通信インターフェース３１とが、バスライン２２を介して接続されている。なお、インターフェースは図中ではＩ／Ｆと記載している。これらの無線通信モジュール３０や通信インターフェース３１は、通信回線である公衆回線網、ＣＡＦＩＳ（Credit And Finance Information Switching System）等の中継センターを介して、クレジット会社や銀行等が備える決済機関コンピュータに接続され、決済機関コンピュータとの間で情報通信を行う。
【００２４】
上述したマイコン２０と表示器５用のコントローラ２７とは、高速のバス処理を行うものであり、第１の制御ボード１２に搭載されて、第１のユニットを構成している。また、キーボード４用のコントローラ２６とプリンタメカユニット１１用のコントローラ２９とは、低速のバス処理を実行するものであり、第２の制御ボード１３に搭載されて、第２のユニットを構成している。マイコン２０、表示器５用のコントローラ２７、キーボード４用のコントローラ２６及びプリンタメカユニット１１用のコントローラ２９が行うバス処理では、シリアル伝送方式が採用されている。また、無線通信モジュール３０は、第１の制御ボード１２に搭載されて第１のユニットを構成している。
【００２５】
次に、ＣＰＵ２１がコンピュータプログラムに従って実行する決済処理を図５に示すフローチャートに基づいて説明する。この決済処理は取引の決済の際に行なわれる処理であり、決済操作である操作者によるキーボード４の操作によって取引金額情報の入力があり（ステップＳ１のＹ）、続けて、キーボード４の操作によって支払方法（クレジット支払い、デビット支払い）の入力があり（ステップＳ２のＹ）、さらに、決済操作である操作者によるカード読取溝８でのスキャン操作によって磁気カードリーダ９ａが磁気カードの磁気ストライプから読み取ったカード情報（クレジットカード番号や口座番号）の入力があったなら（ステップＳ３のＹ）、入力されたカード情報を決済情報として獲得し照会情報を作成する（ステップＳ４）。この照会情報の作成は、入力された取引金額とカード情報とに基づいて作成される。なお、支払方法がデビット支払いの場合には、キーボード４、決済端末１に接続される図示しないピンパッドなどにより入力されたキャッシュカードの暗証番号も照会情報に含ませる。
【００２６】
そして、決済操作である操作者によるキーボード４の実行キーの操作がされたなら（ステップＳ５のＹ）、作成した照会情報を各種金融機関が備える決済機関コンピュータへ送信し（ステップＳ６）、決済機関コンピュータからの照会結果情報の受信に待機する（ステップＳ７のＮ）。ここまでの決済操作により、オペレータが行う決済端末１に対する決済操作は完了する。
【００２７】
決済機関コンピュータでは、送信された照会情報に対して信用チェックや金額承認等の信用照会処理を行った後に、その照会結果情報を決済端末１に送信する。このとき、デビット決済のときには、決済承認の場合には該当する口座の残高から決済金額を差し引く。
【００２８】
決済端末１では、決済機関コンピュータからの照会結果情報を受信したならば（ステップＳ７のＹ）、この照会結果情報に従って、プリンタメカユニット１１を駆動制御して決済情報をロール紙Ｒに印字させ、所定の位置でそのロール紙Ｒを切断して、切断した決済情報が印字されたロール紙を決済伝票として発行口７から発行させる決済伝票発行処理を実行する（ステップＳ８）。ここに、ステップＳ７によって、マイクロコンピュータ２０の処理によって、決済操作が終了した後に、プリンタメカユニット１１を駆動制御して決済伝票の発行処理を実行させる手段の機能が実行される。
【００２９】
以上説明したように、本実施の形態の決済端末１は、ハウジング２の上面３手前側にキーボード４を配置し、ハウジング２の上面３奥側に表示器５を配置し、ハウジング２に内蔵するプリンタメカユニット１１をキーボード４の直下に配置し、マイクロコンピュータ２０を搭載してハウジング２に内蔵する制御ボード１４を表示器５の裏面側に配置し、プリンタメカユニット１１に供給されるロール紙Ｒを着脱自在に収納するロール紙収納部１０を表示器５及び制御ボード１４の直下に配置したことにより、ハウジング２に内蔵される各部がハウジング２の上面３に配置されたキーボード４及び表示器５の下側に位置するので、例えばハウジング２がロール紙収納部１０の配置空間ために後方に延びるようなことがなくなり、装置が小型化する。
【００３０】
また、本実施の形態においては、キーボード４と表示器５とに隣接させてハウジング２の上面３に配置され、磁気カードをスキャン操作するためのカード読取溝８と、ハウジング２に内蔵され、カード読取溝８内をスキャン操作された磁気カードの情報を読み取る磁気カードリーダ９ａと、を備え、決済処理を実行する手段は、磁気カードリーダ９ａが読み取った磁気カードの情報を決済情報として獲得することにより、磁気カードリーダ９ａ及びカード読取溝８の配置のために決済端末１を前後方向に伸ばす必要が無く、よって、磁気カードリーダ９ａ及びカード読取溝８の配置も決済端末１の大型化を招来することがない。
【００３１】
また、本実施の形態においては、ハウジング２の上面３は手前側に向けて傾斜し、当該傾斜の傾斜角度は、カード読取溝８が配置されている部分よりも表示器５が配置されている部分の方が大きく設定されていることにより、決済端末１の手前側で決済端末１の操作を行う操作者にとって、表示器５が見易く、カード読取溝８での磁気カードのスキャン操作において磁気カードを手前側に引き易い。
【００３２】
また、本実施の形態においては、表示器５及び制御ボード１２は、ハウジング２の奥側に配置された支点である軸１５を中心として回動自在であることにより、ロール紙収納部１０にロール紙Ｒを挿脱する際には、開閉ユニット１６を奥側に向けて回動させることにより、ロール紙収納部１０を手前側（操作者側）に対して露出させることができるので、ロール紙収納部１０に対してのロール紙Ｒの挿脱の操作性が向上している。
【００３３】
また、本実施の形態においては、キーボード４と表示器５との間に配置された発行口７と、ロール紙収納部１０に収納されたロール紙Ｒから引き出されてプリンタメカユニット１１によって決済情報が印字された決済伝票を発行口７から発行させる用紙経路１９と、を備えることにより、表示器５及び制御ボード１２を有する開閉ユニット１６を開くことによって、発行口７周囲の作業空間が広がるので、ロール紙Ｒを決済端末１に挿脱する際の作業性が向上している。
【００３４】
また、本実施の形態の決済処理では、マイクロコンピュータ２０の処理によって、決済操作が終了した後に、プリンタメカユニット１１を駆動制御して決済伝票の発行処理を実行させる手段を備えることにより、決済操作中には決済伝票が発行されないので、決済操作中に、決済伝票によって表示器５が見えなくなったり、あるいはキーボード４の操作が不能になったりすることがない。
【００３５】
また、本実施の形態においては、制御ボード１４を表示器５の裏面側に配置された第１の制御ボード１２とハウジング２内の底部に配置された第２の制御ボード１３とに分割し、第１の制御ボード１２には高速のバス処理を実行する第１のユニットを搭載し、第２の制御ボード１３には低速のバス処理を実行する第２のユニットを搭載したことにより、高速のバス処理を必要とする例えばマイクロコンピュータ２０やコントローラが同一の制御ボード１２内に搭載されるので、それらの間で互いに行なわれるバス処理の処理速度を確保することができる。
【００３６】
また、本実施の形態においては、制御ボード１４に搭載されたキーボード４用のコントローラ２６と、制御ボード１４に搭載されたプリンタメカユニット１１用のコントローラ２９と、制御ボード１４に搭載された表示器５用のコントローラ２７と、を備え、第１のユニットは、マイクロコンピュータ２０と、表示器５用のコントローラ２７とを含み、第２のユニットは、キーボード４用のコントローラ２６と、プリンタメカユニット１１用のコントローラ２９とを含むことにより、高速バス処理を実行する表示器５用のコントローラ２７が表示器５の裏側に配置されることとなるので、表示器５用のコントローラ２７と表示器５との距離が近接し、それらを接続するケーブルを短くすることができる。これにより、表示器５用のコントローラ２７が実行するバス処理の速度を確保することができる。一方、キーボード４用のコントローラ２６と、プリンタメカユニット１１用のコントローラ２９とは、表示器５用のコントローラ２７に比べて送受信する情報量が少ないので、データ送受信経路が長くてもバス処理速度上問題にはならない。
【００３７】
また、本実施の形態においては、制御ボード１４に搭載された無線通信モジュール３０を備え、第１のユニットは、無線通信モジュール３０を含むことにより、無線通信モジュール３０内のアンテナが決済端末１の上部に位置することとなり、よって、無線通信モジュール３０の無線送受信の感度が向上し、無線通信モジュール３０による良好な情報通信を実行することができる。
【００３８】
なお、本実施の形態では、カードとして磁気カードを例に説明したが、カードとしてはＩＣカードであってもよく、この場合には、ＩＣカードリーダを決済端末１に接続すればよい。
【図面の簡単な説明】
【００３９】
【図１】本発明の一実施の形態の決済端末を概略的に示す外観斜視図である。
【図２】その縦断側面図である。
【図３】開閉ユニットが開いた状態の決済端末を概略的に示す縦断側面図である。
【図４】決済端末が備える各部の電気的接続を示すブロック図である。
【図５】決済処理の流れを示すフローチャートである。
【符号の説明】
【００４０】
１…決済端末、２…ハウジング、３…上面、４…キーボード、５…表示器、７…発行口、８…カード読取溝、９ａ…磁気カードリーダ、１０…ロール紙収納部、１１…プリンタメカユニット、１２…第１の制御ボード、１３…第２の制御ボード、１４…制御ボード、１５…軸（支点）、１９…用紙経路、２０…マイクロコンピュータ、２６…キーボード用のコントローラ、２７…表示器用のコントローラ、２９…プリンタメカユニット用のコントローラ、３０…無線通信モジュール、Ｒ…ロール紙
【図１】
2005215837.tif 000003
【図２】
2005215837.tif 000004
【図３】
2005215837.tif 000005
【図４】
2005215837.tif 000006
【図５】
2005215837.tif 000007